(57)【要約】【課題】ある程度の期間送風をせずとも水中に沈むことがなく、プール開園前等に空気を吹き込んで膨らませる等の手間と時間を要せず、また、トランポリン効果が高く、さらに必要に応じ、所定の位置に係留できる遊戯用浮遊体の提供を目的とする。【解決手段】遊戯用浮遊体１を、水よりも比重が軽い素材から構成される基盤１２と、基盤上に形成され、内部に空気室を有する袋体１１と、前記空気室に空気を送り込む送風手段１３、１４と、必要に応じて係留手段１５，１６とを備えて構成し、基盤１２によって送風手段の不使用時に沈むことがなく、かつトランポリン効果を高めることができる。【選択図】      図１
2005014823.tif 000002
【特許請求の範囲】
【請求項１】
水面に浮かべて使用する遊戯用浮遊体であって、
水よりも比重が軽い素材から構成される基盤と、
基盤上に形成され、内部に空気室を有する袋体と、
前記空気室に空気を送り込む送風手段と
を備えることを特徴とする遊戯用浮遊体。
【請求項２】
前記袋体は、前記基盤上面を覆うマット状の第１の袋体と、該第１の袋体の上に形成され、動物、虹、波、樹木、建物等を象ったエア造形物の第２の袋体を有することを特徴とする、請求項１に記載の遊戯用浮遊体。
【請求項３】
前記遊戯用浮遊体は、水面上の一定の位置に係留しておく係留手段を備えることを特徴とする、請求項１乃至２に記載の遊戯用浮遊体。
【発明の詳細な説明】
【０００１】
【発明の属する技術分野】
本発明は、送風機で常時空気を送り込みプール、川、池、湖沼或いは海等の水面に浮遊させて使用する遊戯用浮遊体に関する。
【０００２】
【従来の技術】
大型のエアマットを空気で膨らましてそれをプール等に浮かべる遊戯用浮遊体が知られている。この浮遊体には、上面に、やはり空気で膨らませる滑り台や動物等のエア造形物が備え付けられており、子供達は、エアマット上を飛び跳ねたり（トランポリン効果）、エア造形物を遊戯道具として遊んで楽しむことが出来る。
【０００３】
【発明が解決しようとする課題】
しかし、従来の遊戯用浮遊体は、袋体に空気を供給しないと、上述したトランポリン効果が十分でなかったり、少しずつ空気が抜けていき、浮力を徐々に失う欠点があった。このため、使用時には常時空気を送風しておく必要がある。また、例えば、プールを閉園し、送風せずに遊戯用浮遊体をプールに入れたままにしておくと、時間の経過とともに萎んで、プールの底に沈んでしまい、それをプール底から引き上げて、再び空気を吹き込んで膨らませなければならず、そのために相当の手間と時間とを有するという欠点があった。また、使用していないときに常時送風しておくとその間送風装置への電力が消費されコストが嵩む。さらに、何らかの原因で遊戯用浮遊体に大きな穴が開くとただちに遊戯用浮遊体が沈んでしまうため、それに乗っている子供達を危険に晒す可能性もある。
【０００４】
さらに遊戯用浮遊体が、風やプール等の内部の流れにより所定の位置から移動してしまうことも考えられる。
上記の事情に鑑み、本発明においては、子供達が飛び跳ねる際に十分なトランポリン効果が得られ、ある程度の期間送風をせずとも水中に沈むことがなく、したがってプール開園前等に空気を吹き込んで膨らませる等の手間と時間を要せず、また、必要に応じ、所定の位置から移動してしまうことのない遊戯用浮遊体の提供を目的とする。
【０００５】
【課題を解決するための手段】
上述の目的を達成するため、請求項１の発明によっては、水面に浮かべて使用する遊戯用浮遊体であって、水よりも比重が軽い素材から構成される基盤と、基盤上に形成され、内部に空気室を有する袋体と、前記空気室に空気を送り込む送風手段とを備えることを特徴とする遊戯用浮遊体が提供される。
【０００６】
通常は、袋体の空気室に空気を送り込むことにより大きな浮力を得ているが、何らかの理由で空気が送り込まれなくとも、水よりも比重の軽い素材から構成される基盤の浮力により遊戯用浮遊体を浮遊させる浮力を得ることができる。このため、例えば、プールの閉園後に、送風機の運転を停止し、送風を行わなくとも、遊戯用浮遊体がプール底に沈み、その後、引き上げて再び空気を吹き込んで膨らませるという手間と時間とを省くことが出来る。
【０００７】
また、空気で膨らませた袋体は、基盤上に載せられているので、その上で飛び跳ねた際に基盤からの反力を受けてトランポリン効果を高めることが出来る。
請求項２の発明は、前記袋体は、前記基盤上面を覆うマット状の第１の袋体と、該第１の袋体の上に形成され、動物、虹、波、樹木、建物等を象ったエア造形物の第２の袋体を有することを特徴とする。第１の袋体は、それ自体で浮力を発生するとともに、エアマットとして作用するため、その上で飛び跳ねると、上述した基盤の作用とともにトランポリン効果が生じ、又、空気のクッションの効果で転んでも安全である。更に、空気で膨らますことのできる様々の形状の第２の袋体を備えるため、子供達などがそれで遊んで楽しむことができる。なお、第２の袋体は、第１の袋体と空気室が互いに連通するように一体に形成されていても良い。
【０００８】
請求項３の発明は、前記遊戯用浮遊体は、水面上の一定の位置に係留しておくための係留手段を備えることを特徴とする。浮遊体は、水面を自由に移動させるようにしてもよいが、係留手段により遊戯用浮遊体が、風や水の流れによって流されることを防止することができる。
【０００９】
【発明の実施の形態】
以下、本発明の実施の形態につき図１乃至図３に基づいて詳細に説明する。
図１は、空気が送風され、膨らんだプールトランポリン（遊戯用浮遊体）１がプール３の水上に浮かんでいる状態を示している。
プールトランポリン１は、水よりも比重も軽い素材のボード（基盤）１２と、ボード１２の上に形成され、空気室を有するエアマット（第１の袋体）１１と、エアマット１１の上に形成された滑り台、虹及びイルカを象ったエア造形物（第２の袋体）２１，２２，２３と、基盤１２の４すみに接続され、他端にはいかりの役目を果たす錘１６が接続した防水ロープ（係留索）１５とを有する。
【００１０】
ボード１２は、例えば、外形が扁平な直方体形状をしており、水よりも軽くて柔らかい素材、例えばウレタンフォームが好適に使用される。かかるボードの厚さは、ボードの素材の比重により異なるが、例えば、ウレタンフォームを使用した場合には５０ｍｍ程度の厚みを例示することができる。又、プールトランポリン１の不使用期間が１日、２日程度であり、この間に、エアマット１１やエア造形物２１等に空気を供給せずに全体が沈まないためにはボード１２の厚みは前述した程度でもよいが、長期不使用により袋体から完全に空気がぬけ、なおかつプールトランポリン１の全体が水没しないためには、ボード１２に載せるエアマット１１等の重量に応じて厚みを設定すればよい（例えば、５０ｍｍ〜１００ｍｍ程度）。尚、ボード１２は、その表面に傷が入り割れたりしないように架橋剤で硬化させ、硬質層を形成させたり、厚手の樹脂シートで被覆することが好ましい。
【００１１】
エアマット１１は、ボード１２の上面全体に、上面と密着して形成され、空気室に空気を充満させたとき、やや扁平の直方体となる。エアマット１１の側壁の適宜位置にエアホース１３ａが設けられており、エアホース１３を介して送風機１４が取り付けられる。この送風機１４から送風される空気によりエアマット１１を膨らますことができる。なお、本エアマット１１は１区画構造のため、エアマット１１全体でひとつの空気室を形成している。エアマット１１の大きさについては、例えば、安全を考慮し、子供がエアマット１１の下に潜り込んでも容易に通過できるよう、その幅は、１．５ｍ又はそれ以下とするとよい。長さは、浮かべるプール等の大きさを考慮して設定することになるが、５ｍから９ｍ前後が好適である。エアマット１１の材質は特に限定しないが、水密、気密に優れ安価、かつ薄くて丈夫であり、空気を抜けば小さくたたむことも可能な樹脂等が望ましく、例えば、テント生地（ナイロンやポリエステル等）にフッ素コーティング又はアクリル樹脂コーティングしたものが好適に使用できる。
【００１２】
外形が滑り台、虹、イルカのを象ったエア造形物２１、２２、２３である第２の袋体は、エアマット１１の上面に適宜配列され、エアマット１１と一体に形成され、送風機１４より空気が送風され膨らますことによりかかる形状を成すものとしても良い。
なお、エア造形物２１等はエアマット１１とは別の空気室として別途空気を送風して膨らますこととしてもよい。又、滑り台などのエア造形物については、全体を袋体として空気により膨らます構造とするのではなく、滑り板や手摺等を、ＦＲＰ，プラスチック等他の材料で製作したもの、もしくは、ウレタン或いはスポンジ等の造形物に生地カバーを被せたものを袋体に貼着させてもよい。
【００１３】
このような、エアマット１１の上面にのせるエア造形物としては、特に限定されないが、図２に示すアスレチックスのためのものでも、また、図３に示す熱帯の島を連想させる、あずまや、樹木、波、虹等を一組に配列したものであってもよい。このエア造形物については前述の滑り台２１等と同様、袋体として空気で膨らませるものだけではなく、プラスチックや木材などにより製作されたものを併用して使用してもよいことは勿論のことである。
【００１４】
エアホース１３は、自在に屈曲することが出来かつ内部の圧力に耐えられる構造を有するものであれば特に限定されるものではないが、例えば繊維強化樹脂製の蛇腹構造のエアホースが好適に使用できる。なお、かかるエアホース１３が水泳中の人の邪魔になる場合には、例えばアーチ型として空中からエアマット１１に空気を供給することとしてもよい。電動の送風機１４は、プールサイド２等に設置されることから、小型かつ防水型であることが望ましい。
【００１５】
プールトランポリン１を使用する場合には、送風機１４を作動させエアマット１１及びエア造形物２１、２２、２３に空気を供給してこれらを膨らませるが、エアマット１１等のトランポリン効果を確保するためには、使用中常時送風機を作動させておくことが望ましい。空気室の空気圧を検知するセンサを備えるものでは、圧力が所定値より下がったら送風機１４を作動させるようにしてもよい。
【００１６】
プールトランポリン１の不使用時には、送風機１４を作動してもボード１２が装着されているのでプールトランポリン１は水没することはない。長期不使用のまま放置する場合には、必要に応じ萎んだエアマット１１等に空気を一時的に供給するようにしても良い。このような場合も装着されるボード１２の効果により装着しない場合に比較して送風インターバルを延長することが出来る。
【００１７】
更にエアマット１１の下にボード１２が装着されているので、このボード１２が装着されていない場合に比較してボード１２からの反力を受けて大きなエアスプリング力を得られ、トランポリン効果が高められる。
防水ロープ（係留策）１５の各一端は、ボード１２の４隅にそれぞれ接続され、他端は、プール底に沈めた錘１６に接続されている。錘１６は、鉄製等の板状錘で構成されしかもその外表面を柔らかいウレタン（柔らかい素材）等で蔽割れている。そのため、例えば足で踏んずけても安全である。錘１６は、プール底に達しており、これらがいかりの役割を果たすために、プール内の流れにより、プールトランポリン１が流れてしまうことを防止し、一定の場所に係留することが可能となっている。すなわち、係留索１５と錘１６により係留手段が構成される。
【００１８】
さらにこの係留手段がボード１２の４隅にそれぞれ接続されているため、プールトランポリン１は、各係留点からの移動が拘束されるが、例えば、錘１６の接続した防水ロープ１５を１本のみ接続し、該１点を係留中心としてある程度の範囲で移動することとしても良い。
また、係留構造としては上記の他、プール底に固定されたアンカーボルトに防水ロープを接続する、あるいはプールサイドに固定された手すり等に防水ロープを接続することとしてもよい。
【００１９】
なお、本実施形態においては、エアマット１１とエアホース１３との接続口１３ａを１箇所にしたため、エアマット１１の空気室も１区画としているが、エアマット１１の内部を複数の区画に分割し、エアマット１１の一部に穴が開いた場合の空気の流出を最低限に限定することとしてもよい。
【００２０】
【発明の効果】
請求項１の発明によっては、通常は、袋体の空気室に空気を送り込むことにより大きな浮力を得る遊戯用浮遊体について、何らかの理由で空気が送り込まれなくとも、水よりも比重の軽い素材から構成される基盤の浮力により遊戯用浮遊体を浮遊させる浮力を得るため、沈むことがなくこれを再び水中から引き上げる労力と時間が不要になるとともに、袋体の上で飛び跳ねた際に基盤からの反力を受けてトランポリン効果を高めるという優れた効果を奏する。
【００２１】
請求項２の発明は、袋体が第１の袋体と第２の袋体とから形成されており第１の袋体がエアマット状の形状を有することとしたので、第１の袋体が、それ自体で浮力を発生するとともに、その上で飛び跳ねるとトランポリン効果が生じ、又、空気のクッションの効果で転んでも安全であるという効果を奏する。更に、空気で膨らますことのできる様々の形状の第２の袋体を備えるため、子供達などがそれで遊んで楽しむことができるという更に優れた効果を奏する。
【００２２】
請求項３の発明は、遊戯用浮遊体は、水面を自由に移動させるようにしてもよいが、遊戯用浮遊体が係留手段を備えることとしたので、風や水の流れによって流されることを防止することができる。
【図面の簡単な説明】
【図１】本発明の１実施形態（滑り台と虹といるかの像）を示す斜視図である。
【図２】本発明の別の実施形態（アスレチック）を示す斜視図である。
【図３】本発明の別の実施形態（熱帯の島）を示す斜視図である。
【符号の説明】
１  プールトランポリン（遊戯用浮遊体）
２  プールサイド
３  プール
１１  エアマット（第１の袋体）
１２  ボード（基盤）
１３  エアホース
１４  送風機
１５  防水ロープ（係留索）
１６  錘
２１  滑り台を象ったエア造形物（第２の袋体）
２２  虹を象ったエア造形物（第２の袋体）
２３  いるかを象ったエア造形物（第２の袋体）
【図１】
2005014823.tif 000003
【図２】
2005014823.tif 000004
【図３】
2005014823.tif 000005